(57)【要約】  【解決手段】  幅広く様々な粘度を有する液体物質を保管および分注するように構成された単回使用容器。容器は、液体物質を保管する保管用コンパートメントが画定された容器本体部を含み、かつネック部を備える。このネック部はその内部に配置され、保管用コンパートメント内に保管中の液体物質を密閉するシール部を含む。前記容器はまた、キャップ部も含み、このキャップ部は陥凹部が画定され、前記ネック部と係合するように構成されており、かつ前記シール部を突刺するための構造体と、当該構造体を貫通して前記陥凹部に至る通路とを含む。アプリケータが陥凹部内に配置されており、当該アプリケータと前記陥凹部により前記通路の一端部と当該アプリケータとの間にチャンバが画定され、それにより、液体が前記通路から当該チャンバに流入することが可能となる  【選択図】      図１
2016503369.tif 000002
【特許請求の範囲】
【請求項１】
液体物質を保管および分注するように構成された単回使用容器であって、
ａ）前記液体物質を保管する保管用コンパートメントが画定され、ネック部を備える容器本体部であって、前記ネック部は、その内部に配置され、前記保管用コンパートメント内に保管中の液体物質を密閉するシール部を含むものである、前記容器本体部と、
ｂ）キャップ部であって、陥凹部が画定され、前記ネック部と係合するように構成されており、かつ前記シール部を突刺するための構造体と、当該構造体を貫通して前記陥凹部に至る通路とを含むものである、前記キャップ部と、
ｃ）前記陥凹部内に配置されるアプリケータであって、当該アプリケータと前記陥凹部により前記通路の一端部と当該アプリケータとの間にチャンバが画定され、それにより、液体が前記通路から当該チャンバに流入することが可能となるものである、前記アプリケータと
を有する単回使用容器。
【請求項２】
請求項１記載の単回使用容器において、前記ネック部および前記キャップ部は螺合するねじ山部を有する係合構造部を含むものである単回使用容器。
【請求項３】
請求項１記載の単回使用容器において、前記容器本体部は前記保管用コンパートメントに圧力をかけて変形させるのに十分な可撓性を有し、それにより、前記保管されている液体物質に圧力をかけると前記通路および前記アプリケータを通して前記液体物質が分注されるものである単回使用容器。
【請求項４】
請求項１記載の単回使用容器において、前記容器本体部１００は、成形同時充填（ｂｌｏｗ−ｆｉｌｌ−ｓｅａｌ）工程により作製されるものである単回使用容器。
【請求項５】
請求項１記載の単回使用容器において、前記突刺するための構造体は、前記シール部を突刺した後前記シール部に嵌着されるように構成され、当該構造体と前記シール部との間の加圧した液体物質の流れを実質的に阻止するものである単回使用容器。
【請求項６】
請求項５記載の単回使用容器において、前記突刺するための構造体は、その突刺用端部において前記シール部に嵌着されるようにテーパ形状である単回使用容器。
【請求項７】
請求項１記載の単回使用容器において、前記通路は、前記突刺するための構造体の中心軸からオフセットされているものである単回使用容器。
【請求項８】
請求項１記載の単回使用容器において、前記アプリケータは、発泡体パッド、スポンジ、織物、不織布、およびフェルトからなる群から選択される材料を有するものである単回使用容器。
【請求項９】
請求項１記載の単回使用容器において、前記アプリケータの密度は、１．５〜３．０ポンド／立方フィートの範囲内である単回使用容器。
【請求項１０】
請求項１記載の単回使用容器において、前記アプリケータの密度は、１．６〜２．５ポンド／立方フィートの範囲内である単回使用容器。
【請求項１１】
請求項１記載の単回使用容器において、前記アプリケータの密度は、１．７６〜２．３０ポンド／立方フィートの範囲内である単回使用容器。
【請求項１２】
請求項１記載の単回使用容器において、前記アプリケータの気孔数（ｐｏｒｏｓｉｔｙ）は、６０〜１２０ｐｐｉの範囲内である単回使用容器。
【請求項１３】
請求項１記載の単回使用容器において、前記アプリケータの気孔数は、７０〜１１０ｐｐｉの範囲内である単回使用容器。
【請求項１４】
請求項１記載の単回使用容器において、前記アプリケータの気孔数は、８０〜１００ｐｐｉの範囲内である単回使用容器。
【請求項１５】
請求項１記載の単回使用容器において、前記アプリケータの密度は１．７６〜２．３０ポンド／立方フィートの範囲内であり、かつ前記アプリケータの気孔数は９０ｐｐｉである単回使用容器。
【請求項１６】
請求項１記載の単回使用容器において、前記通路の出口は前記突刺するための構造体の突刺用先端部に近接して配置され、それにより、前記突刺するための構造体が前記シール部を突刺した後に前記通路の前記出口は前記シール部の内部に配置され、前記容器本体部の前記コンパートメントと流体連通することが確実となるものである単回使用容器。
【請求項１７】
請求項１６記載の単回使用容器において、前記通路の前記出口は前記突刺するための構造体のテーパ形状部分に設けられるものである単回使用容器。
【請求項１８】
請求項１６記載の単回使用容器において、さらに、
前記キャップ部が前記ネック部上に配置されることを確実にする係止部を有し、それにより、前記突刺するための構造体が前記シール部を突刺した後に前記通路の前記出口は前記シール部の内部に配置され、前記容器本体部の前記コンパートメントと流体連通するものである単回使用容器。
【発明の詳細な説明】
【技術分野】
【０００１】
本発明は、アプリケータを含む単回使用容器に関する。特に、本発明は、流体物質を保管および分注するための成形同時充填による単回使用容器を目的とする。
【背景技術】
【０００２】
一般的に、計測された量の様々な流体物質を、しばしば単回使用のために、比較的小さいパッケージで分注する。流体としては、調味料などの食品、シャンプーおよびスキンクリームなどのパーソナルケア製品、様々なパッケージに入った「拭取り剤」などの掃除用品、ならびに医薬などの薬品を含む幅広く様々な製品が挙げられる。
【０００３】
よく使用されるパッケージは、互いに上に重なり合い、かつ周囲部の周りを一緒に封止された、２枚の箔またはプラスチックのシートから形成された１回分のパッケージである。このパッケージは、一縁部を容器から取り去るように引裂くのを容易にするための切り欠きまたは他の手段を有する。使用者は、容器を引き裂いて開け、流体を分注し、そして容器を廃棄する。一回分のケチャップのパッケージは、かかる例の１つである。
【０００４】
かかるパッケージは、比較的単純で安価だが、いくつかの欠点を有する。第１にこのパッケージは、分注される流体を方向付ける、または押し広げる手段を持たない。特に、濃厚な流体は、このタイプのパッケージから塊で分注される傾向が有り、使用者には、この塊を押し広げる方法を見出す作業が残される。あるいは、薄い流体は、このタイプのパッケージから、調節するのが難しい流れで分注される傾向がある。
【０００５】
第２に、このタイプのパッケージは、特に手に関節炎がある者、そうでなければ握力を損なった者には開けるのが極めて難しい可能性がある。この困難は、少なくとも部分的には、このパッケージの従来の設計では、内容物を放出するために、パッケージの側壁のうちの１つを引き裂いて取る必要がある、という事実によって生じる。しかしながら、この同じ側壁は、誤って圧縮することを含む場合がある、通常の取扱い条件の下でパッケージの内容物を収容するために十分に強靭である必要がある。パッケージの表面上の水分または皮膚の油は、少量でさえも強靭な側壁を把持しかつ引裂くのを極めて困難にする可能性がある。苛立った使用者は、しばしば名目上は手で「引き裂いて開ける」パッケージを、歯を使って開け、美的および衛生的問題を呈する。
【０００６】
第３に、パッケージから吐き出されるときの流体の速度は、流体の粘度、側壁の開いた量、およびかける圧力によって変化する。パッケージの側面に針の孔のような小さい穴しか開いていない場合、比較的強いパッケージの圧搾によって、パッケージ内の低粘度の流体を相当な距離まで押し出す可能性がある。このことは、使用者に対して厄介を生じる可能性がある。
【０００７】
このタイプのパッケージの様々な態様からの改善が提案されてきている。米国特許第５，５７７，８５１号明細書は、分注するために、塗装用の補修材（ｐａｉｎｔｅｒ'ｓ  ｓｐａｃｋｌｅ）などのある量の物質を収容するチューブディスペンサーに取り付けるスポンジアプリケータを開示している。使用後、スポンジアプリケータを、取り外し、洗浄し、そしてチューブディスペンサーに戻すように設計されている。スポンジアプリケータの再使用は、潜在的なスポンジの硬化、および化学的または細菌性劣化の問題を生じる。このアプリケータは、アプリケータの再使用が細菌汚染を生じる場合があるので、ヒトの摂取を意図したものなどの製品への使用に適していない。米国特許第Ｄ３６３，３７７号明細書は、分注容器の上部にローラーを提供する一体型のスプレッダーを同様に開示する。ローラーは、分注する流体を押し広げるが、同様の洗浄および衛生上の欠点を生じる。
【０００８】
単回使用容器に適した一体型の押し広げ手段を生産する努力は、ある程度の成功を達成してきている。例えば、米国特許第６，００７，２６４号明細書は、パッケージの１つの縁部に沿って可剥性フラップを提供する、その周囲部の周りを一緒に封止した２つの重なり合ったシートを備えるパッケージを開示する。使用者は、フラップをめくり上げ、パッケージの一方の封止された縁部を引き離し、こうして内容物を暴露する。パッケージに対して約９０°の角度でめくり上げたフラップは、それによって内容物を押し広げるためのバタフライウィングタイプのスプレッダーを提供する。かかる設計は、使用後はパッケージ全体が廃棄可能なので、押し広げ装置のあらゆる洗浄または再使用の必要性の問題を克服する。
【０００９】
しかしながら、このタイプのパッケージの順調な実施は、分注される流体の粘度に大きく左右される。例えば、ケチャップまたは濃いクリームなどの高い粘度を有する流体は、別個の塊として分注される傾向が有り、バタフライウィングによってその上から意図する表面に効果的に塗りつけることができる。一部の医薬品の処方および他の比較的薄い液体などの、流体粘度の低い液体に使用した場合、かかる流体は、塊とは対称的に開放しているパッケージから流れの状態で分注される傾向が有り、したがって効果的に押し広げることができる以前に、流体がフラップまたはウィング押し広げ領域から流れ出る傾向がある。
【００１０】
この望ましくない性質に対抗するために、この同一の特許は、実施形態を開示しており、吸収性フォームアプリケータを、２つの部品に分けて対向する両方のフラップに取り付けるか、または単一の部品でフラップの間に橋をかけるように取り付ける。かかる実施形態は、分注される流体の押し広げを容易にするように吸収剤表面領域を提供するように設計される。しかしながら、破断したパッケージングからの流体の急激な流れを遅らせるためには、別個の発泡体アプリケータは効果的でないので、この設計はわずかな成功しか達成しなかった。
【００１１】
米国特許第４，９２１，１３７号明細書は、把持を容易にする拡大した耳のような構造体が付いた容器を開示し、特に粘度が低い物質について、圧力下で収容されている物質の急激なほとばしりを最小限にするように、耳のような構造体の中に通路部分を含む。しかしながら、この容器は、分注される液体の塊を押し広げるいかなる手段も含まない。
【００１２】
米国特許第６，１１７，１２３号明細書は、希釈剤および薬剤の保管および混合を提供する可撓性容器を開示する。この容器は、希釈剤および薬剤が保管されている、優先的に剥がすことができるシール部によって分離される、複数のコンパートメントを組み込む。可撓性シール部は、容器の操作によって破断し、これによって、標準的な点滴装置を通した患者への送達のための構成成分をともに混合する。シール部は、投与のために混ぜ合わせた溶液にアクセス可能になる前に、液体の薬剤と希釈剤とを混合することができるように、希釈剤コンパートメントと薬剤コンパートメントとの間のシール部を優先的に破断するように構築される。
【００１３】
米国特許第６，９０２，３３５号明細書は、コンパートメントと、チャンバと、アプリケータパッドとを含む分注容器を開示する。チャンバおよびコンパートメントは、別個の材料から作製して、一緒に接着してもよい。しかしながら、単一の構造体として同じ材料から、脆弱シール部によって２つの部分に分離されるチャンバおよびコンパートメントを作製するのが好ましい。容器は、流動性の物質を収容するように設計され、物質を保管しているコンパートメント領域の上に圧力をかけることによって分注することができる。圧力は、脆弱シール部を破断し、物質をアプリケータの後ろにあるチャンバ内へ絞り出す。チャンバ壁の伸長とアプリケータパッドの弾力性により、物質をアプリケータの後方およびアプリケータ内に押し広げることができ、物質は、排出および塗布するために利用可能になる。この容器は、高粘度の物質に対しては好適だが、コンパートメントに印加される圧力が適切に制御されていないときには、低粘度の物質は、それでもアプリケータを通して急激に排出する場合がある。
【００１４】
したがって、高粘度物質および低粘度物質の両方を分注することができ、かつ分注される液体物質を単純に均等に押し広げるのを容易にする、十分に多機能な単回使用容器に対する必要がまだある。
【発明の概要】
【課題を解決するための手段】
【００１５】
本発明は、液体物質を保管および分注（ｄｉｓｐｅｎｓｅ）するように構成された単回使用容器に関する。前記容器は、液体物質を保管する容器本体部を含む。前記容器本体部には、保管用コンパートメントおよびネック部が画定され、前記容器本体部はさらに脆弱シール部を含む。前記容器は、前記容器本体部と係合するように構成され、かつ脆弱シール部を突刺するための構造体を含むキャップ部も含む。前記キャップ部は、陥凹部および分注の間流体が通過する通路が画定された上部も含む。前記容器は、また、前記キャップ部の陥凹部に配置されたアプリケータを含み、流体は分注されるとき前記通路を通過して当該アプリケータに到達する。
【図面の簡単な説明】
【００１６】
【図１】図１は、本発明の実施形態によるディスペンサー付きの容器を示すものである。
【図２Ａ】図２Ａは、本発明の実施形態による容器の本体の正面図を示すものである。
【図２Ｂ】図２Ｂは、図２Ａの容器の本体の側面図を示すものである。
【図２Ｃ】図２Ｃは、図２Ａ〜図２Ｂの容器の本体の上面図を示すものである。
【図３】図３は、本発明の実施形態による容器のキャップ部を示すものである。
【図４】図４は、図３のキャップ部の上面図を示すものである。
【図５】図５は、キャップ部が図２Ａ〜図２Ｃの容器の上部と係合しているときの、図４の線Ａ−Ａに沿って取ったキャップ部の断面図を示すものである。
【図６】図６は、図５に示すキャップ部および容器の部分の拡大図を示すものである。
【発明を実施するための形態】
【００１７】
図示的な目的のために、本発明の原理を様々な例示的な実施形態を参照して記載する。本明細書には具体的に本発明のある特定の実施形態が記載されるが、同一の原理は、他のシステムおよび方法でも等しく適用可能であり、かつ採用可能であることを、当業者は容易に認識するであろう。本発明の開示される実施形態を詳細に説明する前に、本発明が、任意の示される特定の実施形態の詳細に対する用途に限定されないことを理解するべきである。追加的に、本明細書で使用される専門用語は、説明の目的のためであって、限定の目的ではない。さらに、ある特定の方法は、本明細書ではある特定の順序で示される工程を参照して記載されるが、多くの場合には、これらの工程は、当業者によって理解される場合があるように、任意の順序で実施されてもよく、したがって新規の方法は、本明細書に開示される工程の特定の配設に限定されない。
【００１８】
本明細書および添付の特許請求の範囲で使用する場合、単数形の「１つの（ａ）」、「１つの（ａｎ）」、および「その（ｔｈｅ）」は、文脈が明らかにそうではないと規定しない限り、複数の参照も含むことに留意する必要がある。さらに、本明細書では「１つの（ａ）」（または「１つの（ａｎ）」）、「１つ以上の」、および「少なくとも１つの」という用語を、交換可能に使用することができる。「備える」、「含む」、「有する」、および「から構築される」という用語も交換可能に使用することができる。
【００１９】
この発明は、多くの異なる形態の実施形態の影響を受けやすいが、本開示は本発明の原理の例示であると考えられ、かつ本発明を図示する実施形態に制限することを意図しないとの理解の下で、本発明の１つの特定の実施形態が、図面に示され、かつ本明細書に詳細に記載されることになる。本発明は、図示的な実施形態のみを参照して記載されるので、本明細書に記載される構成要素の精密な形状およびサイズは、別途記載のない限り本発明に必須ではない。
【００２０】
簡便に説明するために、本発明の容器の本体が平面上に直立している状態について説明するが、上方、下方、水平、等々などの用語は、この直立位置を基準として使用される。しかしながら、容器は、図示するもの以外の配向で生産、輸送、保管、および販売される場合があることが理解されるであろう。
【００２１】
本発明は、ディスペンサーを備える単回使用容器１に関する。図１を参照すると、容器１は、容器本体部１００と、キャップ部２００と、アプリケータ３００と、を含む。本発明の容器は、例えば、成形同時充填（ｂｌｏｗ−ｆｉｌｌ−ｓｅａｌ）工程によって作製される場合がある。かかる工程では、まず、保管用コンパートメントを画定するために、容器１をブロー成形する。次いで、容器１の保管用コンパートメントを液体材料で充填する。最後に、充填済みの容器１を封止することにより液体材料を保管用コンパートメント内に封止する。
【００２２】
図２Ａ〜図２Ｃに示すように、容器本体部１００は、ネック部１０２を形成する上部と、下部１０４とを含む。容器本体部１００の上部１０２および下部１０４は、液体物質を保管するために保管用コンパートメントを画定する。容器本体部１００のネック部１０２は、キャップ部２００をネック部１０２に着脱自在に係合するための、ネジ山部１０１などの構造部を備える。容器本体部１００は、保管用コンパートメント内の液体物質を封止するために、脆弱シール部（ｆｒａｎｇｉｂｌｅ  ｓｅａｌ）１０９を備える。容器１００の上部はまた、キャップ部２００をネック部１０２上の所望の位置に位置決めする係止部を提供する目的でフランジ１１１も備えてもよい。
【００２３】
取り扱いを容易にするために、容器本体部１００の下部１０４の少なくとも一部に、表面上の突起部１０３または陥凹部などの、下部１０４の把持を容易にする構造部を備えてもよい。把持するための構造部は、外観的な目的のためにデザインパターンを形成してもよい。一実施形態では、デザインパターンは、突起部１０３によって形成される一連の平行なストライプである。本発明では、容器１の把持を容易にするための任意の好適な構造部を使用してもよい。
【００２４】
下部１０４の保管用コンパートメントは、任意の好適な形状または構成であってもよいが、好ましくは、下部１０４は、図２Ａ〜図２Ｂに示すようにボトルの形状に形成される。下部１０４は、使用者が力をかけることによって下部１０４を変形し、それによって液体物質を、破断した脆弱シール部１０９を通して押し出すことができるように、十分な柔軟性を備える。重力の影響のみにより破断した脆弱シール部１０９を通して流れる能力を有する、比較的粘度の低い液体物質を分注するために容器が使用するときなどのいくつかの実施形態では、下部１０４は剛性構造部として作製してもよい。
【００２５】
単回使用容器の容器本体部１００は、一体型の封止された構造部であってもよい。容器１の内容物を分注するためには、脆弱シール部１０９に突破口１０５（ｂｒｅａｃｈ）を形成し、下部１０４の保管用コンパートメント内の保管される液体物質を、脆弱シール部１０９の突破口１０５およびネック部１０２からキャップ部２００を経由して、保管用コンパートメントの外へ放出または押し出すことができる。
【００２６】
ネック部１０２は、キャップ部２００を係合するための手段または構造部を有する。本発明は、ネック部１０２をキャップ部２００と係合する能力を有する任意の好適な係合手段を想定する。１つのかかる手段は、図２Ａ〜図２Ｃに示すように、ネック部１０２の外側表面上のネジ山部１０１である。流体が漏れるのを妨げるようにキャップ部２００とネック部１０２との間にシール部を提供する、摩擦嵌め、スナップ嵌め、または他の係合手段などの他の好適な構造部を採用してもよい。
【００２７】
脆弱シール部１０９は、任意の好適なサイズであってもよい。脆弱シール部１０９内の突破口１０５のサイズは、保管用コンパートメント１０４内に保管される液体物質の分注用に設定してもよく、また、液体物質を分注するために望ましい速度に基づいた液体物質の粘度に応じて調節してもよく、またはこれらの組み合わせであってもよい。通常、液体物質の粘度が増加すると突破口１０５の寸法が増加する場合がある。液体物質の他の特性も、脆弱シール部１０９の突破口１０５の所望のサイズの選択に影響を与える場合がある。液体物質を、少量だけ、またはゆっくりと分注する場合、脆弱シール部１０９の突破口１０５は、比較的小さくてもよい。反対に、液体物質を、大量に、または迅速に分注するとき、脆弱シール部１０９の突破口１０５は、好ましくは、サイズが比較的より大きい。
【００２８】
本発明の容器の本体１００は、当業者に既知の任意の好適な材料で作製されるが、典型的には本体１００は、熱可塑性材料で作製される。本体１００は、様々なプラスチックを含む様々な可撓性材料で作製される場合がある。例えば、本体１００は、低密度ポリエチレン（ＬＤＰＥ）、高密度ポリエチレン（ＨＤＰＥ）、およびポリプロピレン（ＰＰ）で作製することができる。本体１００を構築するために採用する材料は、透明であっても、不透明であってもよい。透明な本体１００は、容器の内容物を視覚的に点検することができ、かつ分注している間に容器内の分注される物質の水位を視覚的に検証できることになる。
【００２９】
キャップ部２００は、本体１００と同一のまたは異なる材料から作製してもよい。キャップ部２００は、容器本体部１００のネック部１０２に係合するように構成される下部２０２を含む。キャップ部２００はまた、アプリケータ３００を受容するように構成される上部２０１も含む。キャップ部２００の上部２０１は、その頂部に陥凹部２０３が形成され、この陥凹部２０３は、アプリケータ３００を収容するために要求されるサイズおよび形状を提供することによってアプリケータ３００を受容するように構成されている。キャップ部２００の上部２０１はまた、使用時にキャップ部２００の上部２０１の把持を容易にするために、その表面に突起部、隆起部、粗面、または陥凹部などの把持手段も備えてもよい。
【００３０】
いくつかの実施形態では、アプリケータ３００を、適切な保持手段によって陥凹部２０３内に保持する。例えば、アプリケータ３００を、陥凹部２０３内に接着してもよく、アプリケータ３００と陥凹部２０３との間に摩擦嵌めを提供するサイズにしてもよく、または陥凹部２０３は、当該陥凹部の周囲に沿ってかつアプリケータ３００が陥凹部２０３内に配置される位置よりも上方に設けられた、アプリケータ３００を陥凹部２０３内に保持するための上唇部２０６を備えてもよい。アプリケータ３００を陥凹部２０３内に保持するために、摩擦的手段、クリンピング、および様々な保持クリップなどの当業者に既知の他の好適な機構を使用してもよい。アプリケータ３００を、ホットメルト技法または他の融合方法を使用して表面２０８に貼りつけてもよい。これらの保持手段のうちの２つ以上の組合せを、採用する場合もある。
【００３１】
図３の実施形態では、陥凹部２０３には表面２０８が画定され、当該表面上にアプリケータ３００を配置してもよく、または当該表面上にアプリケータ３００を接着または粘着してもよい。アプリケータ３００を表面２０８上に配置するとき、チャンバ２０４は、アプリケータ３００の底部とチャンバ２０４の下面２０９との間に画定される。
【００３２】
チャンバ２０４は、脆弱シール部１０９を通して液体物質が比較的高い速度で押し出された場合に、液圧衝撃を吸収することができる。チャンバ２０４は、分注された液体物質を押し広げることができ、かつ流体を狭い脆弱シール部１０９を通して比較的高い速度で通過させることによって生じたエネルギーを流体から消散するために使用される場合がある。チャンバ２０４は、液体のアプリケータ３００への送達を容易にするために、アプリケータ３００の底面の表面積の相当な部分にわたって液体を押し広げることもできるようにする。
【００３３】
チャンバ２０４は、液体物質がチャンバ２０４に送達されたときに、液体物質の容積に順応する保管部を提供するために十分大きくするべきである。チャンバ２０４が小さすぎる場合、アプリケータ３００の表面にわたる流体の十分なまたは望ましい押し広げをせずに、液体物質がアプリケータ３００を通して通過する場合がある、または通り過ぎる傾向がある。チャンバ２０４が大きすぎる場合、チャンバ２０４内の液体物質に対して、アプリケータ３００内に入っていかない程度の低い圧力状態しか達成されない可能性がある。
【００３４】
図４を参照すると、キャップ部２００および陥凹部２０３の上面図が示される。通路２０５は、チャンバ２０４の下面２０９における、容器の中心軸（容器の中心軸２１４は、図４に示すように、２本の直交する一点鎖線が交差する点に位置付けられる）からオフセットされた位置から開始され、キャップ部２００のスパイク２０７を通過する。通路２０５は、スパイク２０７の突刺用先端部２１２と干渉することなくスパイク２０７の長さを通ることができるように、好ましくは、中心からオフセットされている。
【００３５】
図５〜図６は、分注する位置でネック部１０２と係合したキャップ部２００の断面図を図示する。図５〜図６は、ネック部１０２のネジ山部１０１を係合するように構成される、螺合ネジ山部２１１を含むキャップ部２００の下部２０２を示す。キャップ部２００の上部２０１は、下部２０２に向かって下向きに突出するスパイク２０７を備える。スパイク２０７は、脆弱シール部１０９を突刺するように構成される、突刺用先端部２１２を含む。動作時には、キャップ部２００がネック部１０２へとねじ込まれると、脆弱シール部１０９をスパイク２０７が突き通し、かつこれに突破口を作る。スパイク２０７は、液体物質がスパイク２０７と脆弱シール部１０９との間で漏れないために、スパイク２０７が脆弱シール部１０９の突き通した開口部を確実に完全に充填する役に立つように、テーパ形状部分２１３を含む。これを容易にするために、脆弱シール部１０９は、スパイク１０７の周囲を封止するように構成される、弾性材料などの材料から作製される場合がある。
【００３６】
通路２０５は、図５に示すように、中心軸２１４からオフセットされた位置においてスパイク２０７に亘って延びる。通路２０５は、円形、楕円形、三角形、正方形、方形、五角形、または六角形、などの任意の好適な断面形状を有してもよく、円形が好ましい形状である。通路２０５は、突刺用先端部２１２に近接したテーパ形状部分２１３を通って所定の位置でスパイク２０７を貫通するが、この位置は通路２０５の端部が確実に脆弱シール部１０９を通過し、かつ容器本体部１００のコンパートメント１０４からキャップ部２００のチャンバ２０４へ液体を放出させるための手段を提供する場所である。
【００３７】
通路２０５の断面図は、液体物質およびその物質が分注される方法に従って、異なる場合がある。低粘度の液体物質に対して、または液体物質をゆっくりと分注することを意図するとき、通路２０５断面積は、液体物質の流れを制限するために比較的小さくてもよい。液体物質の粘度が高い場合、または液体物質を迅速に分注することを意図する場合、通路２０５の断面積は、液体の通過を促進するために、比較的より大きくてもよい。
【００３８】
ネック部１０２とキャップ部２００の下部２０２は、キャップ部２００が、ネック部１０２に緊密にねじ込まれたとき、スパイク２０７はすでに脆弱シール部１０９を突き通しており、かつスパイク２０７の周囲の良好な封止を確実にするようにスパイク２０７をテーパ形状部分２１３が脆弱シール部１０９を係合する位置に維持する一方で、通路２０５の開口部がスパイク２０７の下端に位置するようにコンパートメント１０４内の十分な距離だけ進んでいるように構成される。
【００３９】
アプリケータ３００は、チャンバ２０４の上方の場所で、キャップ部２００の陥凹部２０３内に嵌るように構成される。一実施形態では、アプリケータ３００、および陥凹部２０３の形状は、同一であり、そして立方体状、円筒状、台形状、および同様のものなどの任意の所望の形状であってもよい。図面に図示した実施形態のアプリケータ３００は、円筒状である。
【００４０】
アプリケータ３００は、好ましくは、分注される液体物質のアプリケータ３００内への流れを容易にする吸収体であり、かつ使用者が分注された液体物質を容易に、快適に、かつ清浄に塗布できるようにする。当業者は、アプリケータ３００に対して様々な材料を使用することができることを認識するであろう。例えば、アプリケータ３００は、多孔性発泡体パッド、織物もしくは不繊繊維、またはフェルトで構築されてもよい。本発明によるアプリケータ３００のために使用される１つの材料は、約９０インチ当たり孔数（ｐｏｒｅ  ｐｅｒ  ｉｎｃｈ：ｐｐｉ）ｐｐｉの気孔数、１．７６〜２．３０ポンド／立方フィート（２８．２〜３６．８ｋｇ／ｍ３）の密度、２６．０ｐｓｉ（１７９ｋＰａ）の引張り強さ、３０２％の伸び、最高２．９ポンド／インチ（５２ｋｇ／ｍ）の引き裂き強さ、０．３４ｐｓｉ（２．３４ｋＰａ）の２５％Ｒ  ＣＬＤ硬度、および０．４９ｐｓｉ（３．３８ｋＰａ）の６５％Ｒ  ＣＬＤ硬度を有するスポンジであってもよい。材料は、約５０％の圧縮永久歪みを有してもよい。
【００４１】
いくつかの実施形態では、アプリケータ３００は、発泡体パッドなどの実質的に多孔性のパッドであってもよい。発泡体パッドは、数多くの天然および合成材料から構築することができる。発泡体パッドは、分注される液体物質に対する良好な貯留能力または保持能力、並びにアプリケータ３００に圧力を印加したときに物質を皮膚に移すための、迅速な流体開放を有するべきである。一実施形態では、アプリケータ３００は、ポリウレタン発泡体パッドである。例えば、１インチ当たり１００孔のポリウレタン発泡体パッドは、ハンドローションおよび同様のものの稠度の液体を分注するとき良好に動作する。１つの特に有用な発泡体パッドは、Ｊａｃｏｂ  Ｈｏｌｍ  Ｉｎｄｕｓｔｒｉｅｓ（米国ジョージア州Ｈｅｌｅｎ）からの、ＮＯＲＡＦＩＮブランドとして知られるスパンレース不織布ロール製品であり、これは６３％のｌｙｃｏｓｅ、２７％のポリプロピレン、および１０％のポリエチレンテレフタレート（ＰＥＴ）から成るニードルパンチ複合材料である。
【００４２】
好ましい実施形態では、アプリケータ３００は、射出成形によって生産される場合がある、スポンジまたは多孔性材料から作製される場合がある。スポンジの密度は、液体物質および物質を分注する方法によって調整される場合がある。低粘度の液体物質に対しては、スポンジまたは多孔質材料の密度は、液体物質のアプリケータ３００を通したより遅い動きを可能にするように、比較的高い場合がある。液体物質の粘度が高い場合、または液体物質を迅速に分注することを意図する場合、アプリケータ３００を通した液体物質の通過を容易にするために、スポンジの密度は、比較的低くてもよい。
【００４３】
アプリケータは、約６０〜１２０ｐｐｉ、または、７０〜１１０ｐｐｉ、または８０〜１００ｐｐｉ、または９０ｐｐｉの気孔数を有してもよい。アプリケータは、約１．５〜３．０ポンド／立方フィート（２４〜４８ｋｇ／ｍ３）、または約１．６〜２．５ポンド／立方フィート（２６〜４０ｋｇ／ｍ３）、または約１．７６〜２．３０ポンド／立方フィート（２８．２〜３６．８ｋｇ／ｍ３）、または約１．９〜２．１ポンド／立方フィート（３０〜３４ｋｇ／ｍ３）の密度を有してもよい。
【００４４】
内容物を保護するためおよび清浄度を促進するために、単回投与容器は、使用する準備ができるまでアプリケータ３００を着脱自在に取り囲むために、構成されるアプリケータカバーを含む場合がある。所望する場合、追加的にまたは代替的に、容器全体を好適なパッケージングまたは無菌パッケージングで取り囲むことができる。容器本体部１００およびキャップ部２００は、別個にパッケージ化してもよく、またはキャップ部２００をネック部１０２から係脱して、またはスパイク２０７が脆弱シール部１０９との間に空間を残すように、キャップ部２００をネック部１０２に部分的にのみねじ込んで、のいずれかで、単一のパッケージ内に一緒にパッケージ化してもよい。
【００４５】
本発明の単回投与容器を使用するためには、容器本体部１００およびキャップ部２００をパッケージングから取り出し、スパイク２０７が脆弱シール部１０９を突刺するように、キャップ部２００を容器本体部１００のネック部１０２に緊密にねじ込み、そして通路２０９をチャンバ２０４からコンパートメント１０４へと流体的に接続する。次いで、コンパートメント１０４に圧力をかけるように容器本体部１００を圧搾し、コンパートメントはかけた圧力を液体に伝え、液体を通路２０９を通してチャンバ２０４に内へと押し出す。液体がチャンバ２０４に達すると、押し広げられ、かつ吸収体および／または多孔性アプリケータ３００の中に吸収される。容器が適切に配向されている場合、重力の作用と共に、継続的に容器本体部１００へ圧力をかけることによって、液体をアプリケータ３００の上面を通して押し出し、それによって皮膚などの表面に塗布することができる。次いで、アプリケータ３００は、液体物質を表面上に押し広げる道具として使用されてもよい。
【００４６】
この単回投与容器は、典型的には比較的小さい手持ち装置であるが、サイズ、重量、および結果的な使用の容易さに対する一般的考慮以外には、容器のサイズまたは分注される液体物質の量に特別な制限があるわけではない。単回使用容器は、１センチポアズ程度に低い粘度だけでなく数千センチポアズの範囲の高い粘度を有する液体物質を保管するために好適である。
【００４７】
本発明の単回使用容器は、当業者に既知の任意の方法によって製造されてもよいが、少なくとも容器本体部１００は、好ましくは、成形同時充填工程によって製造される。典型的には、容器本体部１００を作製する材料は、ある長さのパリソンとして、垂直の配向の、細長い、中空の管の形態で、一対の半割主成形型の間に、最初は頂部が開放した容器本体部１００を形成するように押し出される。主成形型の上方に上向きに延在するパリソンの一部分の、ある長さのパリソンの頂部に開口部を維持するための手段が提供される。
【００４８】
封止マンドレルおよびブローノズルを取り付けた伸縮可能なブローアセンブリは、開口部を一時的に封止するように、半割主成形型の中でその長さのパリソンへと伸長される。半割主成形型によって画定される成形型キャビティ内で、真空の補助付きで、または真空の補助なしで容器を成形するために、パリソンの中に気体が吹き込まれる。
【００４９】
ブローアセンブリ上の連携する封止マンドレルとともに、半割主成形型（または他の成形型部材）は、典型的には容器本体部１００の頂部に脆弱シール部を成形するように構造部を画定する。
【００５０】
本発明によるディスペンサー付きの単回投与容器は、例として、しかし制限ではなく、医薬品としての消毒剤、膏薬、化粧品、軟膏、およびクリームを含むことができる幅広く各種の液体物質のための低コストの使い捨てパッケージングに対する長年にわたる必要性への回答である。容器は、低粘度物質に対して特に好適である。容器は、保管の利便性、パッケージの破損に対する抵抗性、より良好な衛生、および漏出または無駄の低減を供与するパッケージングを提供する。追加的に、この容器は、使用者が、少ない測定された量の物質を調節された様式で指や手に付着せずに、かつ物質を押し広げるために、指、手または追加的な用具を使用する必要なく塗布することができるようにするパッケージを提供する。  
【実施例１】
【００５１】
本発明によるアプリケータ３００のために使用される１つの材料は、Ｆｏａｍｅｘによって製造されているＺ１１０ＣＬＭＡスポンジである。このスポンジは、９０ｐｐｉの気孔数、１．７６〜２．３０ポンド／立方フィート（２８．２〜３６．８ｋｇ／ｍ３）の範囲内の密度、２６．０ｐｓｉ（１７９ｋＰａ）の引っ張り強さ、３０２％の伸び、最高２．９ポンド／インチ（５２ｋｇ／ｍ）の引き裂き強さ、０．３４ｐｓｉ（２．３４ｋＰａ）の２５％Ｒ  ＣＬＤ硬度、および０．４９ｐｓｉ（３．３８ｋＰａ）の６５％Ｒ  ＣＬＤ硬度を有する。５０％の圧縮永久歪みを有する材料も試験された。
【００５２】
しかしながら、上述の記述で、構造部の詳細および発明の機能と一緒に、本発明の多数の特質および利点を説明してきたが、開示は例証に過ぎず、かつ詳細について、特に部品の形状、サイズおよび配設については、本発明の原理の範囲内で、添付の特許請求の範囲が表す条項の幅広い一般的な意味によって示される限り、変更がなされてもよいことが理解されるべきである。
【図１】
2016503369.tif 000003
【図２Ａ】
2016503369.tif 000004
【図２Ｂ】
2016503369.tif 000005
【図２Ｃ】
2016503369.tif 000006
【図３】
2016503369.tif 000007
【図４】
2016503369.tif 000008
【図５】
2016503369.tif 000009
【図６】
2016503369.tif 000010
【国際調査報告】
2016503369.tif 000011
2016503369.tif 000012
2016503369.tif 000013